(57)【特許請求の範囲】
【請求項１】
商品と酷似する表示ラベルを湾曲した状態に保持する展示見本のラベル保持枠であって、
上記ラベル保持枠の上面側中央部に起立した支持壁の上部側前面に、上記表示ラベルの上縁部を所定の曲率半径に湾曲した状態に保持する上側保持部を取付け、
上記ラベル保持枠の下部側前面に、上記表示ラベルの下縁部を所定の曲率半径に湾曲した状態に保持する下側保持部を一体的に形成し、
上記ラベル保持枠の上面側中央部に起立した支持壁と、上記上側保持部の後側縁部に垂設した支持板とを前後に対向し、
上記支持壁の両側縁部に沿って形成した係止溝に、上記支持板の両側縁部に形成した係止片を上下動可能に係合して、
上記上側保持部を、上記表示ラベルの上縁部よりも上位となる引上げ高さと、該上縁部が保持される引下げ高さとに上下動可能に設けた
展示見本のラベル保持枠。
【請求項２】
上記上側保持部を、上記ラベル保持枠の支持壁上端よりも上位に突出する高さに上下動可能に設けた
請求項１記載の展示見本のラベル保持枠。
【請求項３】
上記上側保持部を、上記ラベル保持枠の支持壁上端と略同等及び下位となる高さに上下動可能に設けた
請求項１又は２記載の展示見本のラベル保持枠。
【請求項４】
上記上下保持部を、特定の方向から見て略多面形状を有するラベル保持枠の各面に設けた
請求項１記載の展示見本のラベル保持枠。
【請求項５】
上記各保持部を、上記表示ラベルが略同一又は異なる曲率半径に保持される大きさに形成した
請求項４記載の展示見本のラベル保持枠。
【発明の詳細な説明】
【０００１】
【発明の属する技術分野】
この発明は、例えば飲み物が封入された金属製やガラス製、合成樹脂製の容器、或いは、タバコや玩具、食品等の商品を販売する自動販売機に於いて、その商品の選択や宣伝を目的とするために陳列される展示見本のラベル保持枠に関する。
【０００２】
【従来の技術】
従来、上述の展示見本としては、例えば商品見本を構成する表示体支持部材の上縁保持部と下縁保持部とを連結部材により連結し、上下保持部材と連結部材との対向面に形成した凹部と凸部とを互いに係止して、商品表示体が保持される上下間隔に伸縮調節する商品見本（特許第３１４３６６１号公報）がある。
【０００３】
【発明が解決しようとする課題】
しかし、上述の商品見本は、上下保持部を、例えば内容量の大きい缶商品又は内容量の小さい缶商品と略対応するサイズの商品表示体が保持される上下間隔に係止規制する構造であるので、大小の商品表示体を上下保持部の間に対して嵌め込むとき、その上下保持部の間に対して嵌込み許容される状態に強制変形しなければならず、商品表示体の上縁部が変形したり、折れ曲がったりして商品価値が損なわれるだけでなく、商品表示体を交換する作業に手間が掛るという問題点を有している。
【０００４】
また、容量の異なる大小の缶商品を販売する場合、その缶商品と略対応するサイズの商品見本を少なくとも二種類製作したり、予め準備したりしなければならず、商品見本の保管及び取扱いが煩わしくなるだけでなく、一つの商品見本に要する単価が高くなり、見本毎に複数の金型が必要となるため、製作コストが高くなるという問題点を有している。
【０００５】
この発明は上記問題に鑑み、上側保持部を、表示ラベルの上縁部よりも上位となる高さに引上げることにより、表示ラベルのサイズや表示内容を変更する作業が無理せずに簡単且つ容易に行え、且つ、様々なサイズの表示ラベルを一つのラベル保持枠で保持することができる展示見本のラベル保持枠の提供を目的とする。
【０００６】
【課題を解決するための手段】
この発明は、商品と酷似する表示ラベルを湾曲した状態に保持する展示見本のラベル保持枠であって、上記ラベル保持枠の上面側中央部に起立した支持壁の上部側前面に、上記表示ラベルの上縁部を所定の曲率半径に湾曲した状態に保持する上側保持部を取付け、上記ラベル保持枠の下部側前面に、上記表示ラベルの下縁部を所定の曲率半径に湾曲した状態に保持する下側保持部を一体的に形成し、上記ラベル保持枠の上面側中央部に起立した支持壁と、上記上側保持部の後側縁部に垂設した支持板とを前後に対向し、上記支持壁の両側縁部に沿って形成した係止溝に、上記支持板の両側縁部に形成した係止片を上下動可能に係合して、上記上側保持部を、上記表示ラベルの上縁部よりも上位となる引上げ高さと、該上縁部が保持される引下げ高さとに上下動可能に設けた展示見本のラベル保持枠であることを特徴とする。
【０００７】
上述の商品は、例えば飲み物が封入された容器、タバコ、玩具、食品等で構成することができる。つまり、ラベル保持枠の上側保持部を、表示ラベルの上縁部よりも上位となる高さに一旦引上げて、表示ラベルを上下保持部の間に湾曲して装填した後、上側保持部を、表示ラベルの上縁部が保持される高さに引下げて、上下保持部により湾曲した状態に保持する。
【０００８】
実施の形態として、上側保持部を、ラベル保持枠の支持壁上端よりも上位に突出する高さに上下動可能に設けたり、ラベル保持枠の支持壁上端と略同等及び下位となる高さに上下動可能に設ける等することができる。また、上下保持部を、特定の方向から見て略多面形状を有するラベル保持枠の各面に設けることができる。さらにまた、各保持部を、上記表示ラベルが異なる曲率半径に保持される大きさに形成することができる。
【０００９】
【作用及び効果】
この発明によれば、上側保持部を、表示ラベルの上縁部よりも上位となる高さに引上げて、表示ラベルを上下保持部の間に対して装填した後、上側保持部を、表示ラベルの上縁部が保持される高さに引下げるので、表示ラベルを上下に変形する必要がなく、表示ラベルのサイズや表示内容を変更する作業が無理せずに簡単且つ容易に行える。
【００１０】
しかも、上側保持部を、ラベル保持枠の上端よりも上位に突出して、ラベル保持枠よりもサイズの大きな表示ラベルを保持し、ラベル保持枠の上端よりも下位に降下して、ラベル保持枠よりもサイズの小さな表示ラベルを保持するので、様々なサイズの表示ラベルを一つのラベル保持枠で保持することができる。且つ、上側保持部を分離又は抜取らずに、表示ラベルのみを交換することができるので、作業性の向上を図ることができる。
【００１１】
【実施例】
この発明の一実施例を以下図面に基づいて詳述する。
図面は自動販売機により販売される商品に応じて、表示ラベルのサイズと表示内容とを変更するときに用いられる展示見本のラベル保持枠を示し、図１３及び図１４に於いて、この展示見本７は、自動販売機１により販売される大中小の商品（例えば缶商品）と略酷似する外観及び意匠に形成され、販売機の上部前面に設けた展示部２に複数陳列される。
【００１２】
上述の展示部２内に形成した水平側展示面３には、図７にも示すように、展示面３に陳列される展示見本７の陳列数に略対応して、略丸形状の開口部４を所定間隔に隔てて複数形成している。その展示部２の内部には、光源５（例えば蛍光灯）を展示面３の開口部４と対向して配設している。且つ、光源５は、展示見本７が立体的に発光され、シート状の表示ラベル９ａ，９ｂに印刷した意匠（例えば商標、文字、模様、図柄等）を明瞭に表示するのに必要な光量を投光する。
また、上述の光源５に代わる照光手段の他の例として、例えば白熱灯、照光ランプ、発光素子又はその他の投光機能を備えた照明機器等を用いることができる。
【００１３】
前述の展示見本７は、図１乃至図４に示すように、後述する表示ラベル９ａ，９ｂを所定の起立姿勢及び曲率半径に保持するのに必要な強度又は構造を有する側面から見て略上下逆Ｔ字状のラベル保持枠８と、そのラベル保持枠８の前後両面側に保持されるフィルム状又はシート状に形成した表示ラベル９ａ，９ｂとで構成され、例えばポリアセタール、ポリプロピレン、ポリエチレン、ポリエステル、ポリカーボネード、アクリル等のプラスチックで形成している。
【００１４】
上述のラベル保持枠８は、上述のプラスチックにより不透明又は半透明（或いは透明）に形成され、サイズの大きい方の表示ラベル９ａが保持されるラベル保持部１０をラベル保持枠８の前面側に形成し、サイズの小さい方の表示ラベル９ｂが保持されるラベル保持部１１をラベル保持枠８の後面側に形成し、例えば後側の表示ラベル９ａに印刷された表示内容が前側の表示ラベル９ｂに写り込むのを防止又は少なくするための支持壁１２を、ラベル保持枠８の中央部に形成すると共に、光源Ｂから投光される光を導光するための窓部１２ａを、支持壁１２の下部中央面に切り欠き形成している。
【００１５】
なお、上述のラベル保持枠８を、例えば金属や木、ガラス、セラミックス等の材質で形成してもよい。また、支持壁１２を透明又は半透明に形成したり、後述する光源Ｂの光が導光される大きさに開口又は切り欠いたり、或いは、支持壁１２を取り除いてもよい。
【００１６】
且つ、表示ラベル９ａの上縁部を湾曲した状態に保持する上側保持部１０ａをラベル保持部１０の上部側前面に対して上下動可能に取付け、表示ラベル９ａの下縁部を保持する下側保持部１０ｂを、ラベル保持部１０の下部側前面に対して一体的に形成している。
【００１７】
一方、表示ラベル９ｂの上縁部を湾曲した状態に保持する上側保持部１１ａを、ラベル保持部１１の上部側前面に対して上下動可能に取付け、その表示ラベル９ｂの下縁部を保持する下側保持部１１ｂを、ラベル保持部１１の下部側前面に対して一体的に形成している。
【００１８】
上述の保持部１０ａ，１１ａは、例えば缶商品の上部（プルトップ側）と略酷似する形状に形成され、保持部１０ｂ，１１ｂは、缶商品の下部（底部側）と略酷似する形状に形成している。且つ、保持部１０ａ，１０ｂ，１１ａ，１１ｂを、平面から見て略半円形状（又は略円弧状）に形成すると共に、表示ラベル９ａ，９ｂを所定の曲率半径に湾曲した状態に挿入ガイド及び抜取りガイドされる略円弧状の孔部１０ｃ，１１ｃを、保持部１０ａ，１１ａの上面側前縁部に沿って形成している。
【００１９】
且つ、孔部１０ａ，１１ａは、表示ラベル９ａ，９ｂを上下方向に対して差込み及び抜取りが許容される溝幅で、上面側開口部から下面側開口部に向けて徐々に狭くなる形状（テーパ形状）に形成され、表示ラベル９ａ，９ｂの上縁部が抜止め又は係止される段部（抜止め部）を、孔部１０ａ，１１ａの内周縁部に沿って円周方向に連続（又は部分的）して形成している。
【００２０】
一方、図５にも示すように、係止片１０ｄを、保持部１０ａの後側縁部に垂設した支持板１０ｆの両側縁部に形成し、その係止片１０ｄが上下動可能に係止される係止溝１０ｅを、ラベル保持部１０と対応する支持壁１２の両側縁部に形成している。且つ、係止片１１ｄを、保持部１１ａの後側縁部に垂設した支持板１１ｆの両側縁部に形成し、その係止片１１ｄが上下動可能に係止される係止溝１１ｅを、ラベル保持部１１と対応する支持壁１２の両側縁部に形成している。
【００２１】
且つ、滑らかな曲面を有する略半球形状の突起２１，２２を、支持壁１２と対向する係止片１０ｄ，１１ｄ（又は支持板１０ｆ，１１ｆ）に形成し、突起２１，２２が係止される孔部２３を、係止片１０ｄ，１１ｄと対向する支持壁１２に形成すると共に、その孔部２３を、上述の内容量を有する商品と略対応する上下間隔に隔てて複数形成している。また、孔部２３を、係止片１０ｄ，１１ｄ側に形成し、突起２１，２２を、支持壁１２側に形成してもよい。
【００２２】
つまり、突起２１を、何れか一つの孔部２３に係止して、保持部１０ａを、例えば略２８０ml、略３５０ml、略５００ml等の内容量を有する商品と略対応する高さに規制する。一方、突起２２を、何れか一つの孔部２３に係止して、保持部１１ａを、例えば略１６０ml、略１９０ml、略２５０ml等の内容量を有する商品と略対応する高さに規制する。また、上述の内容量を、例えば略１６０ml以下、略５００ml以上の内容量に変更してもよい。
【００２３】
また、上述の突起２１，２２と孔部２３とに代わる他の係止手段として、例えばネジ部材で締付け固定したり、バネ部材の弾性で押付け固定したり、ゴム部材の接触抵抗で固定したり、マグネットの吸着力で吸着固定したり、凹凸状の歯面を係止する等してもよい。
【００２４】
且つ、係止片１０ｄ，１１ｄの下端側を垂直方向に対して延長すると共に、最大サイズの表示ラベル９ａ，９ｂを差込み及び抜取るとき、係止溝１０ｅ，１１ｅに対する係止状態が維持される長さに形成している。つまり、保持部１０ａは、例えば略５００mlサイズの表示ラベル９ａが差込み及び抜取りが許容される高さに引き上げたとき、支持壁１２上端よりも上方に突出した状態に支持される。上述と同様に、保持部１０ｂは、略２５０mlサイズの表示ラベル９ｂが差込み及び抜取りが許容される高さに引き上げたとき、支持壁１２上端と略同等又は上方に突出した状態に支持される。
【００２５】
また、係止溝１０ｅ，１１ｅの下端部に形成した段部１０ｇ，１１ｇは、保持部１０ａ，１１ａを最小サイズの表示ラベル９ａ，９ｂと略同等又は下位となる高さに降下規制する。
【００２６】
前述の表示ラベル９ａ，９ｂは、図６にも示すように、透光性を有するプラスチックにより透明又は半透明に形成され、商品の外周面と略対応する曲率半径に湾曲可能な材質又は厚みに形成すると共に、その表示面に、商品と略同一の色彩、模様、文字等の意匠を印刷又は形成している。且つ、表示ラベル９ａは、例えば略２８０mlサイズのラベルと、略３５０mlサイズのラベルと、略５００mlサイズのラベルとで構成され、表示ラベル９ｂは、例えば略１６０mlサイズのラベルと、略１９０mlサイズのラベルと、略２５０mlサイズのラベルとで構成され、これら複数サイズのラベルの中から、販売される商品と略対応するサイズの表示ラベル９ａ，９ｂを選択して使用する。
【００２７】
なお、保持部１０ａ，１０ｂ，１１ａ，１１ｂの前側周縁部に形成した略円弧状の壁部は、表示ラベル９ａ，９ｂの上下縁部を所定の曲率半径に湾曲した状態（シリンドリカル状）に矯正及び保持する。また、壁部に代わる矯正手段の他の例として、例えば溝部や突起等でも矯正することができる。
【００２８】
前述のラベル保持枠８の下面側中央部には、図７にも示すように、光源５からの光を導光する採光窓２５を前述の開口部４と対向して形成している。この採光窓２５は、開口部４よりも小径で、展示見本７の内部空間に対して光源Ｂの光が導光される大きさ及び形状に形成している。
【００２９】
且つ、採光窓２５の下面側周縁部に、開口部４の裏面側周縁部よりも下方に所定長さ突出される筒状部２６を、展示部２の開口部４に対して略垂直に差込み可能に形成し、筒状部２６の対向周縁部に、開口部４の裏面側周縁部に対して係止される支持板２７を、開口部４の対向周縁部に形成した切欠き部４ａに対して差込み可能に形成している。
【００３０】
且つ、支持板２７の上位側に、開口部４の内周縁部に対して圧接される凸状の突起２８を形成している。突起２８は、開口部４の内周縁部に圧接したときに生じる接触抵抗により、ラベル保持枠８を、表示ラベル３側が前向きとなる状態に回り止めする。また、突起２８を、開口部４の周縁部に形成した凹部や溝部に係止したり、その内周縁部に食い込ませる等して所望角度又は段階的に回り止めしてもよい。
【００３１】
図示実施例は上記の如く構成するものにして、以下、展示見本７を構成する表示ラベル９ａ，９ｂの保持及び交換する方法を説明する。
【００３２】
先ず、表示ラベル９ａのサイズ又は表示内容を変更する場合、図１乃至図３に示すように、ラベル保持部１０の保持部１０ａを係止溝１０ｅに沿って上方に引上げ、保持部１０ａ，１０ｂを、略２８０mlサイズの表示ラベル９ａが差込み許容される上下間隔に離間する。表示ラベル９ａを湾曲して、その両側縁部を係止溝１０ｅ，１０ｅの外側縁部に係止した後、保持部１０ａを引下げて、表示ラベル９ａを保持部１０ａ，１０ｂにより湾曲状態に保持する。また、略３５０mlサイズ又は略５００mlサイズの表示ラベル９ａを保持する場合、保持部１０ａを、支持壁１２上端よりも上方に突出する高さに一旦引上げて装填及び保持する。
【００３３】
一方、表示ラベル９ｂのサイズ又は表示内容を変更する場合、図２、図４にも示すように、ラベル保持部１１の保持部１１ａを係止溝１１ｅに沿って上方に引上げ、保持部１１ａ，１１ｂを、略１６０mlサイズ又は略１９０mlサイズの表示ラベル９ｂが差込み許容される上下間隔に離間する。表示ラベル９ｂを湾曲して、その両側縁部を係止溝１１ｅ，１１ｅの内側縁部に係止した後、保持部１１ａを引下げて、表示ラベル９ａを保持部１１ａ，１１ｂにより湾曲状態に保持する。また、略２５０mlサイズの表示ラベル９ｂを保持する場合、保持部１１ａを、支持壁１２上端よりも上方に突出又は略同等となる高さに一旦引上げて装填及び保持する。或いは、表示ラベル９ａ，９ｂを、保持部１０ａ，１１ａに形成した孔部１０ｃ，１１ｃから差込み又は抜取ってもよい。
【００３４】
上述の表示ラベル９ａ，９ｂを保持した展示見本７は、図１３及び図１４に示すように、自動販売機１の展示部２に陳列される。また、ラベル保持枠８を所定角度（略１８０度）に水平回転して、表示ラベル９ａ又は９ｂが正面向きとなる状態に向き変更してもよい。加えて、ラベル保持枠８の前後両面に、同一又は異なる表示内容で、同一サイズの表示ラベル９ａ又は９ｂを保持することもできる。
【００３５】
以上のように、展示見本７を構成するラベル保持枠８の上側保持部１０ａ，１１ａを、表示ラベル９ａ，９ｂの上縁部よりも上位となる高さに引上げて、表示ラベル９ａ，９ｂを上下保持部１０ａ，１１ａの間に対して装填した後、上側保持部１０ａ，１１ａを、表示ラベル９ａ，９ｂの上縁部が保持される高さに引下げるので、表示ラベル９ａ，９ｂを上下に変形する必要がなく、表示ラベル９ａ，９ｂのサイズや表示内容を変更する作業が無理せずに簡単且つ容易に行える。
【００３６】
しかも、上側保持部１０ａを、ラベル保持枠８の上端よりも上位に突出して、略５００ｍｌサイズの表示ラベル９ａを保持したり、ラベル保持枠８の上端と略同等又は下位に降下して、略２８０mlや略３５０mlサイズの表示ラベル９ａ又は略１６０mlや略１９０ml、略２５０mlサイズの表示ラベル９ｂを保持するので、様々なサイズの表示ラベル９ａ，９ｂを一つのラベル保持枠８で保持することができる。且つ、上側保持部１０ａ，１１ａを分離又は抜取らずに、表示ラベル９ａ，９ｂのみを交換することができるので、作業性の向上を図ることができる。
【００３７】
さらに、展示見本７を水平回転して、表示ラベル９ａ又は９ｂを正面向けたり、その表示内容を変更したりするので、表示ラベル９ａ，９ｂを交換する必要が無く、交換時及び変更時の作業性が向上する。且つ、商品の種類に対応して、複数の展示見本７を製作したり、準備したりする必要が無く、展示見本７の管理及び取扱いが容易に行える。且つ、ラベル保持枠８を共通して使用するので、一つの展示見本７に要する製作費や金型費の低減を図ることができる。
【００３８】
図８、図９は、片面保持式のラベル保持枠８による他のラベル保持例を示し、表示ラベル９ａを、ラベル保持枠８の前面側に取付けた保持部１０ａ，１０ｂで保持するので、上述の実施例と略同等の作用及び効果を奏することができる。
【００３９】
なお、図９のラベル保持枠８は、展示部２の垂直側展示面３に形成した開口部４の上下縁部に係止して取付ける。また、壁部１２に、窓部１２ａを切り欠き形成してもよい。また、上述の保持構造は、表示ラベル９ｂを保持するのにも適用することができる。
【００４０】
図１０は、ラベル保持枠８によるその他のラベル保持例を示し、表示ラベル９ａ，９ｂを、平面から見て略三角形状を有するラベル保持枠８の各面に保持し、ラベル保持枠８を水平回転して、特定の表示ラベル９ａが前向きとなる状態に回転したり、表示ラベル９ａ，９ｂを交換する等して表示変更するので、前述の実施例と略同等の作用及び効果を奏することができる。また、上述のラベル保持枠８を、例えば略四角形状、略五角形状等の略多角形状に形成したり、展示部２の垂直側展示面３に形成した開口部４に対して回転可能に取付ける等してもよい。
【００４１】
図１１は、ラベル保持枠８の他の固定構造を示し、ラベル保持枠８を前後に傾けて、採光窓２５の下面側後縁部に形成した係止爪３０を、展示部２の展示面３に形成した開口部４の後側内周縁部に係止し、下面側前縁部に形成した係止爪３１を、開口部４の前側内周縁部に係止する。係止爪３１の両側部に形成した略円弧状の係止片３２を、開口部４の内周縁部に係止し、両側縁部に形成した凸部３３を、開口部４の両側縁部に形成した切欠き部４ａに係止して回り止めするので、前述の実施例と略同様に、展示見本７を着脱可能に固定することができる。
【００４２】
図１２は、ラベル保持枠８のその他の固定構造を示し、ラベル保持枠８に形成した筒状部３５を、展示面３に形成した開口部４に差込み、筒状部３５の対向縁部に形成した係止部３６を、開口部４の対向縁部に形成した切欠き部４ａに挿入し、その係止部３６近傍に形成した支持片３７を、開口部４の内周縁部に当接して筒状部３５中心に向けて変位又は可撓する。ラベル保持枠８を水平回動して、係止部３６を切欠き部４ａの一端に係止し、支持片３７をその復元力により切欠き部４ａの他端に係止して回り止めするので、前述の実施例と略同様に、展示見本７を着脱可能に固定することができる。
【００４３】
この発明の構成と、上述の実施例との対応において、
なお、この発明は、上述の実施例の構成のみに限定されるものではない。
【００４４】
上述したラベル保持枠８の構成は、例えばプラスチック製容器（ペットボトル）やガラス製容器（瓶）、タバコ、玩具等の商品と酷似する展示見本のラベル保持枠にも適用することができる。また、展示見本７を、任意の展示部（例えば机、棚、陳列ケース等）に単独で陳列してもよい。
【００４５】
さらに、ラベル保持枠８の他の固定方法として、例えば筒状部２６を開口部４に挿し込んだり、マグネットや面ファスナー、両面粘着テープ、ネジ、ボルト等の固定手段で固定することもできる。
【図面の簡単な説明】
【図１】  表示ラベルを前後両面に保持する展示見本を示す斜視図。
【図２】  展示見本の保持構造を示す縦断側面図。
【図３】  大サイズ側のラベル保持部を示す正面図。
【図４】  小サイズ側のラベル保持部を示す正面図。
【図５】  前後保持部の差込み状態を示す平面図。
【図６】  表示ラベルの保持状態を示す横断平面図。
【図７】  展示見本の固定構造を示す底面側斜視図。
【図８】  ラベル保持枠による他のラベル保持状態を示す斜視図。
【図９】  ラベル保持枠によるその他のラベル保持状態を示す斜視図。
【図１０】  ラベル保持枠によるその他のラベル保持状態を示す平面図。
【図１１】  ラベル保持枠の他の固定構造を示す底面側斜視図。
【図１２】  ラベル保持枠のその他の固定構造を示す底面側斜視図。
【図１３】  展示見本を展示部に陳列した状態を示す正面図。
【図１４】  展示見本を陳列した自動販売機を示す正面図。
【符号の説明】
７…展示見本
８…ラベル保持枠
９ａ，９ｂ…表示ラベル
１０，１１…ラベル保持部
１０ａ，１０ｂ…保持部
１１ａ，１１ｂ…保持部
１０ｄ，１１ｄ…係止片
１０ｅ，１１ｅ…係止溝
【図１】
0004754107.tif 000002
【図２】
0004754107.tif 000003
【図３】
0004754107.tif 000004
【図４】
0004754107.tif 000005
【図５】
0004754107.tif 000006
【図６】
0004754107.tif 000007
【図７】
0004754107.tif 000008
【図８】
0004754107.tif 000009
【図９】
0004754107.tif 000010
【図１０】
0004754107.tif 000011
【図１１】
0004754107.tif 000012
【図１２】
0004754107.tif 000013
【図１３】
0004754107.tif 000014
【図１４】
0004754107.tif 000015